(57)【要約】【課題】発光素子の新旧の交換作業を容易に行い得るようにする。【解決手段】光源部材８０を着脱可能に支持する支持部材としてのアッパープレート８３が設けられ、光源部材８０は、基板８４と、この基板８４に並設された複数の単位ＬＥＤ８５と、この単位ＬＥＤ８５へ電力を供給する端子８５１とを備え、アッパープレート８３は、光源部材８０が装着された状態で端子８５１に接続される電極８３４を有し、光源部材８０がアッパープレート８３に対しスライド状態で装着されることにより端子８５１が電極８３４に接続されるように構成されている。【選択図】図４
2008187263.tif 000002
【特許請求の範囲】
【請求項１】
光源部材から照射される光の原稿面での反射光を撮像素子へ入射することにより原稿面の原稿画像を読み取るように構成された画像読取装置において、
前記光源部材を着脱可能に支持する支持部材が設けられ、
前記光源部材は、基板と、この基板に並設された複数の発光素子と、この発光素子へ電力を供給する端子とを備え、
前記支持部材は、前記光源部材が装着された状態で前記端子に接続される電極を有し、
前記光源部材が前記支持部材に対しスライド状態で装着されることにより前記端子が前記電極に接続されるように構成されていることを特徴とする画像読取装置。
【請求項２】
前記支持部材には、それぞれ互いに独立した複数個の光源部材が装着されていることを特徴とする請求項１記載の画像読取装置。
【請求項３】
前記基板の表面側には複数の前記発光素子が直列に並設され、
前記端子は、それぞれ基板の表面側で発光素子の並設方向と平行に延びるように当該発光素子の近傍位置に設けられ、
前記支持部材は、前記基板をスライドさせる底板と、この底板の両側縁から立設された前記基板の側縁が摺接する一対の側板と、これら一対の側板の各上縁部から互いに対向する方向に延設されて前記端子に被さる被せ条とを備えて端面視でＣ字状に形成され、
前記被せ条には、前記端子と対向する位置に前記電極が設けられていることを特徴とする請求項１記載の画像読取装置。
【請求項４】
前記一対の側板の少なくとも一方は、前記底板との接続位置に設定された前記底板の長尺方向に延びた回動中心線回りに正逆回動可能とされ、前記光源部材が装着される底板上の装着空間を開放した開放姿勢と、前記装着空間を閉止することで前記電極が前記端子と接続される閉止姿勢との間で姿勢変更可能であることを特徴とする請求項３記載の画像読取装置。
【請求項５】
前記底板には、前記支持部材に装着された前記基板を前記被せ条へ向けて付勢する付勢部材が設けられていることを特徴とする請求項３乃至４のいずれかに記載の画像読取装置。
【請求項６】
請求項１乃至５のいずれかに記載の画像読取装置が読み取った原稿画像の画像情報に基づき所定の画像形成処理を施すように構成された画像形成装置。
【発明の詳細な説明】
【技術分野】
【０００１】
本発明は、並設された複数の発光素子から照射される光の原稿面での反射光を撮像素子へ入射することにより原稿面の原稿画像を読み取るように構成された画像読取装置に関するものであり、特に、発光素子の交換が容易な画像読取装置およびこの画像読取装置が適用された画像形成装置に関するものである。
【背景技術】
【０００２】
従来、特許文献１に記載されているような、複写機やファクシミリ装置等の画像形成装置に設けられて原稿画像を読み取るために使用される原稿読取装置が知られている。この原稿読取装置は、光源からの光を原稿面に向けて照射し、その反射光をＣＣＤ（ｃｈａｒｇｅ  ｃｏｕｐｌｅｄ  ｄｅｖｉｃｅ）等の光電変換素子に入射することにより当該光電変換素子で電気信号に変換するようになされている。画像形成装置は、この電気信号に変換された原稿画像の画像情報に基づき所定の画像形成処理を実行する。
【０００３】
前記光源としては、所定の基板上に複数のＬＥＤ（ｌｉｇｈｔ  ｅｍｉｔｔｉｎｇ  ｄｉｏｄｅ：発光素子）が１列で装着された、いわゆるＬＥＤアレイが用いられている。そして、このＬＥＤアレイが線状の光線を原稿面に照射しつつ移動することで原稿面が走査される。
【０００４】
前記ＬＥＤアレイは、単位ＬＥＤが合成樹脂製の細長い基板上に一列に並べられることにより形成されている（特許文献１の第１図参照）。基板上には、各ＬＥＤに対応した電極が設けられ、この電極とＬＥＤの端子とが半田付けでボンディングされている。
【特許文献１】特開平３−２５８１５８号公報
【発明の開示】
【発明が解決しようとする課題】
【０００５】
ところで、特許文献１に示されているような画像読取装置にあっては、例えばＬＥＤアレイの内の１つのＬＥＤに不具合が生じて発光しなくなったような場合、他のＬＥＤは正常に機能しているにも拘わらず当該不具合のあるＬＥＤのために基板ごと新品と取り換えなくてはならず、省資源の観点から問題点を有していた。
【０００６】
また、基板は、通常、所定のフレームにネジ止めにより固定されているため、基板の交換を行うに当たり一々ネジを緩めて基板をフレームから取り外した後、新品の基板をフレームにネジ止めで固定しなければならず、基板の交換作業の作業性が悪いという問題点も有している。
【０００７】
本発明は、かかる状況に鑑みなされたものであって、発光素子に不具合が生じた場合、新品と交換するべき発光素子と抱き合わせで交換される正常な発光素子の個数を可能な限り少なくし、かつ、新旧の交換作業が容易な画像読取装置およびこの画像読取装置が適用された画像形成装置を提供することを目的としている。
【課題を解決するための手段】
【０００８】
請求項１記載の発明（画像読取装置）は、光源部材から照射される光の原稿面での反射光を撮像素子へ入射することにより原稿面の原稿画像を読み取るように構成された画像読取装置において、前記光源部材を着脱可能に支持する支持部材が設けられ、前記光源部材は、基板と、この基板に並設された複数の発光素子と、この発光素子へ電力を供給する端子とを備え、前記支持部材は、前記光源部材が装着された状態で前記端子に接続される電極を有し、前記光源部材が前記支持部材に対しスライド状態で装着されることにより前記端子が前記電極に接続されるように構成されていることを特徴とするものである。
【０００９】
かかる構成によれば、光源部材をスライド状態で支持部材に装着することにより、光源部材の基板に設けられた端子が支持部材に設けられた電極に接続される。一方、例えば光源部材を取り換えるために新旧交換するに際しては、旧い光源部材をスライド状態で支持部材から引き抜くことにより当該光源部材は、支持部材から取り外される。
【００１０】
請求項２記載の発明（画像読取装置）は、請求項１記載の発明において、前記支持部材には、それぞれ互いに独立した複数個の光源部材が装着されていることを特徴とするものである。
【００１１】
かかる構成によれば、１つの基板に装着される発光素子の個数を少なくすることができるため、いずれかの発光素子が故障して基板を交換しなければならなくなったような場合、複数の基板の内の故障している発光素子を備えたもののみを交換すればよく、その分、正常な発光素子が無駄に交換されてしまうような不都合の発生が軽減される。
【００１２】
請求項３記載の発明（画像読取装置）は、請求項１記載の発明において、前記基板の表面側には複数の前記発光素子が直列に並設され、前記端子は、それぞれ基板の表面側で発光素子の並設方向と平行に延びるように当該発光素子の近傍位置に設けられ、前記支持部材は、前記基板をスライドさせる底板と、この底板の両側縁から立設された前記基板の側縁が摺接する一対の側板と、これら一対の側板の各上縁部から互いに対向する方向に延設されて前記端子に被さる被せ条とを備えて端面視でＣ字状に形成され、前記被せ条には、前記端子と対向する位置に前記電極が設けられていることを特徴とするものである。
【００１３】
かかる構成によれば、光源部材の基板を端面視でＣ字状を呈した支持部材の端部のから底板上でスライドさせつつ支持部材内に押し込んでいくことにより、当該光源部材は、両側縁が支持部材の各側板に摺接しながら幅方向が位置決め状態で支持部材内に挿入されていき、最終的に支持部材に装着された状態になる。
【００１４】
そして、光源部材が支持部材に装着された状態では、基板の表面側に設けられた端子が支持部材の被せ条の対向面に設けられた電極と当接し、これにより発光素子は、電極および端子を介して電力が供給可能になる。
【００１５】
このように、支持部材の被せ条に光源部材の端子と対向する電極を設けることにより、光源部材の支持部材に対する着脱操作の良好な操作性を確保した上で、電気的な接続構造が簡単なものになる。
【００１６】
請求項４記載の発明（画像読取装置）は、請求項３記載の発明において、前記一対の側板の少なくとも一方は、前記底板との接続位置に設定された前記底板の長尺方向に延びる回動中心線回りに正逆回動可能とされ、前記光源部材が装着される底板上の装着空間を開放した開放姿勢と、前記装着空間を閉止することで前記電極が前記端子と接続される閉止姿勢との間で姿勢変更可能であることを特徴とするものである。
【００１７】
かかる構成によれば、支持部材の一方の側板を底板の側縁に設定された回動中心線回りに正逆回動させることにより、装着空間を開放した開放姿勢と、当該装着空間を閉止した閉止姿勢との間で姿勢変更可能とされているため、光源部材の支持部材に対する着脱操作時に側板を開放姿勢に設定することにより、開放された開口から光源部材を装着空間に対し容易に出し入れすることができ、光源部材の支持部材に対する着脱操作がさらに改善される。
【００１８】
請求項５記載（画像読取装置）の発明は、請求項３乃至４のいずれかに記載の発明において、前記底板には、前記支持部材に装着された前記基板を前記被せ条へ向けて付勢する付勢部材が設けられていることを特徴とするものである。
【００１９】
かかる構成によれば、光源部材が支持部材に装着された状態で、当該光源部材は、付勢部材により支持部材の被せ条に向けて付勢されるため、光源部材の端子の被せ条に設けられている電極への当接状態、すなわち電気的な接続状態がより確実なものになる。
【００２０】
請求項６記載の発明（画像形成装置）は、請求項１乃至５のいずれかに記載の画像読取装置が読み取った原稿画像の画像情報に基づき所定の画像形成処理を施すように構成されたことを特徴とするものである。
【００２１】
かかる構成によれば、画像形成装置は、請求項１乃至５のいずれかに記載の画像読取装置が備えた作用効果を享受し得るものになる。
【発明の効果】
【００２２】
本発明に係る画像読取装置によれば、光源部材をスライド状態で支持部材に装着することにより、光源部材の端子が支持部材の電極に接続される一方、光源部材をスライド状態で支持部材から引き抜くことにより当該光源部材は、支持部材から取り外される。従って、従来のように、光源部材が支持部材に対してネジ止め等で固定されている場合には、光源部材の支持部材に対する着脱作業に長時間を要するという不都合があったが、かかる不都合の発生を解消することができる。よって、例えば、発光素子の故障で光源部材を交換しなければならないような場合、当該交換を迅速に行うことが可能になり、これにより交換作業の作業性を大幅に向上させることができる。
【００２３】
また、基板の支持部材に対する着脱操作が容易なことから、複数の基板を支持部材に装着し得るようにしても、基板の交換作業の作業性が損なわれるようなことがない。従って、複数の基板を支持部材に支持させるようにし、これによって１つの基板に装着される発光素子の個数を少なくすることができるため、いずれかの発光素子が故障して基板を交換しなければならなくなったような場合、複数の基板の内の故障している発光素子を備えたもののみを交換すればよく、その分、正常な発光素子が無駄に交換されてしまうような不都合の発生を軽減させることができる。
【００２４】
本発明に係る画像形成装置によれば、当該画像形成装置を本発明に係る画像読取装置が備えた作用効果を享受し得るものにすることができる。
【発明を実施するための最良の形態】
【００２５】
まず、本発明に係る画像読取装置が適用された画像形成装置について説明する。図１は、本発明に係る画像読取装置が適用された画像形成装置の一実施形態の概要を示す説明図である。なお、図１においてＹ−Ｙ方向を前後方向といい、特に−Ｙ方向を前方、＋Ｙ方向を後方という。図１に示すように、画像形成装置１０は、複写機として使用されるものであり、胴内排紙型と称される箱形を呈した装置本体１１と、この装置本体１１の上部に設けられた、原稿画像を読み取る画像読取部１６とを備えている。本発明に係る画像読取装置としての光学系ユニット２０は、画像読取部１６内に装着されている。
【００２６】
前記装置本体１１には、画像読取部１６の光学系ユニット２０によって読み取られた原稿の画像情報に基づき画像を形成する画像形成部１２と、この画像形成部１２によって形成され、用紙に転写されたトナー画像に定着処理を施す定着部１３と、転写用の用紙を貯留する用紙貯留部１４とが内装されている。装置本体１１の頂部には、排出された定着処理後の用紙Ｐを受ける胴内排紙トレイ１５１を備えた排紙部１５が設けられている。
【００２７】
前記画像読取部１６は、上面にコンタクトガラス３１を備えた光学系ユニット２０を内装する外装カバー１６０を有し、この外装カバー１６０には、コンタクトガラス３１上に載置された原稿を押さえるための原稿マットを備えた原稿押さえ部材１６１が開閉自在に設けられている。かかる原稿押さえ部材１６１は、外装カバー１６０の上面左方位置（オペレータが操作する位置から見て奥側）に一対で設けられた蝶板部材１６２（図２）の蝶板軸回りに正逆回動可能とされ、コンタクトガラス３１の上面を閉止した閉止姿勢Ｔ１と、コンタクトガラス３１の上面を開放した開放姿勢Ｔ２との間で姿勢変更することができる。
【００２８】
そして、かかる原稿押さえ部材１６１の基端側（蝶板部材１６２が設けられている側）と対向した外装カバー１６０の上面の適所には、原稿押さえ部材１６１が閉じられた状態で、当該原稿押さえ部材１６１が閉止姿勢Ｔ１に姿勢設定されたことを検出する開閉センサ１６３が設けられ、この開閉センサ１６３がオンになることで原稿押さえ部材１６１が閉止姿勢Ｔ１に姿勢設定されたことが検出される一方、開閉センサ１６３がオフになることで原稿押さえ部材１６１が開放姿勢Ｔ２に姿勢設定されたことが検出される。
【００２９】
そして、光学系ユニット２０は、コンタクトガラス３１上に載置された原稿が原稿押さえ部材１６１によって押さえられた状態で、下方からコンタクトガラス３１を介して原稿画像を読み取るものである。画像読取部１６で読み取られた原稿の画像情報は、所定の処理が施された上で画像形成部１２へ向けて出力される。
【００３０】
前記外装カバー１６０の適所には、原稿読み取りや複写処理等に関する処理条件を入力操作するための図略の操作パネル１７が設けられているとともに、この操作パネル１７に隣接して出力手段としてのＬＣＤ（Ｌｉｑｕｉｄ  ｃｒｙｓｔａｌ  ｄｉｓｐｌａｙ）１８が設けられている。前記操作パネル１７には、電源スイッチ１７１や原稿の読み取り動作を開始させるスタートキー１７２、さらには一旦設定した原稿の読み取り動作をキャンセルするキャンセルキー１７３や、省エネルギーモードを選択する省エネモード選択キー１７４、これらに加えて用紙Ｐへの転写枚数などを入力するためのテンキー１７５等が設けられ、これらのスイッチやキーの操作で画像形成処理が実行される。前記ＬＣＤ１８には、現に実行される画像形成処理についての各種のコメントが表示出力される。
【００３１】
前記省エネモード選択キー１７４が押釦されると、保安電力のみを残して電源がオフされ、これによって画像形成装置１０が稼働されていないときに無駄な電力が消費されるのを防止する。省エネルギーモードが設定された状態でもう１度省エネモード選択キー１７４を押釦すると、省エネルギーモードが解消されて通常のモードに戻る。
【００３２】
前記画像形成部１２は、用紙貯留部１４から給紙された用紙にトナー画像を形成させるものであり、本実施形態では、上流側（図１の紙面の後側）から下流側へ向けて順次配設されたマゼンタ用ユニット１２Ｍと、シアン用ユニット１２Ｃと、イエロー用ユニット１２Ｙと、ブラック用ユニット１２Ｋとが備えられている。
【００３３】
各ユニット１２Ｍ，１２Ｃ，１２Ｙ，１２Ｋには、感光体ドラム１２１および現像装置１２２がそれぞれ備えられている。各感光体ドラム１２１は、図１において反時計方向へ向けて回転しつつ対応した現像装置１２２からトナーの供給を受けてトナー像を形成する。各現像装置１２２には、装置本体１１の右面側（図１の紙面の表側）に配設された図略のトナーカートリッジからトナーが補給される。
【００３４】
各感光体ドラム１２１の直下位置には帯電器１２３がそれぞれ設けられているとともに、各帯電器１２３のさらに下方位置には露光装置１２４が設けられている。そして、各感光体ドラム１２１は、前記帯電器１２３によって周面が一様に帯電され、画像読取部１６で読み取られた画像データに基づく各色に対応したレーザー光が前記各露光装置１２４から帯電後の感光体ドラム１２１の周面に照射される。これより各感光体ドラム１２１の周面に静電潜像が形成される。かかる静電潜像に現像装置１２２からトナーが供給されることにより、感光体ドラム１２１の周面にトナー像が形成される。
【００３５】
感光体ドラム１２１の上方位置には、当該各感光体ドラム１２１に当接するように駆動ローラ１２５ａおよび従動ローラ１２５ｂ間に張設された転写ベルト１２５が設けられている。この転写ベルト１２５は、各感光体ドラム１２１に対応して設けられた転写ローラ１２５ｃによって感光体ドラム１２１の周面に向け所定の間隔を介して押し付けられた状態で各感光体ドラム１２１と同期しながら駆動ローラと従動ローラとの間を周回する。
【００３６】
従って、転写ベルト１２５が周回することによりその表面に対しマゼンタ用ユニット１２Ｍの感光体ドラム１２１によるマゼンタのトナー像の転写が行なわれ、ついで転写ベルト１２５の同一位置にシアン用ユニット１２Ｃの感光体ドラム１２１によるシアンのトナー像の転写が重ね塗り状態で行なわれ、ついで転写ベルト１２５の同一位置にイエロー用ユニット１２Ｙの感光体ドラム１２１によるイエローのトナー像の転写が重ね塗り状態で行なわれ、最後のブラック用ユニット１２Ｋの感光体ドラム１２１によるブラックのトナー像の転写が重ね塗り状態で行なわれ、これによって転写ベルト１２５の表面にカラーのトナー像が形成される。この転写ベルト１２５の表面に形成されたカラーのトナー像が用紙貯留部１４から搬送されてきた用紙Ｐに転写されることになる。
【００３７】
そして、各感光体ドラム１２１の図１における前方位置には当該感光体ドラム１２１の周面の残留トナーを除去して清浄化するクリーニング装置１２６が設けられている。クリーニング装置１２６によって清浄化処理された感光体ドラム１２１の周面は、新たな帯電処理のために帯電器１２３へ向かうことになる。
【００３８】
クリーニング装置１２６で感光体ドラム１２１の周面から取り除かれた廃トナーは、所定の経路を通って図略のトナー回収ボトルに回収され、貯留される。
【００３９】
画像形成部１２の図１における前方位置には、上下方向に延びる用紙搬送路１１１が形成されている。この用紙搬送路１１１には、適所に搬送ローラ対１１２が設けられ、用紙貯留部１４からの用紙がこの搬送ローラ対１１２の駆動で駆動ローラ１２５ａに掛け回されている転写ベルト１２５へ向けて搬送される。かかる用紙搬送路１１１には、駆動ローラ１２５ａと対向した位置に転写ベルト１２５の表面と当接した第２転写ローラ１１３が設けられ、用紙搬送路１１１を搬送されつつある用紙Ｐが転写ベルト１２５と第２転写ローラ１１３とに押圧挟持されることによって転写ベルト１２５上のトナー像が当該用紙Ｐに転写される。
【００４０】
そして、転写ベルト１２５の図１における後端部には、当該転写ベルト１２５の表面に残留した残留トナーを除去する図略の転写ベルト用クリーニング装置が設けられ、用紙Ｐへの転写処理が完了した転写ベルト１２５は、表面の残留トナーがこの転写ベルト用クリーニング装置によって取り除かれ清浄化された状態で次の転写処理へ向けて周回される。
【００４１】
前記定着部１３は、画像形成部１２で転写された用紙上のトナー像に対し定着処理を施すものであり、内部に加熱源である通電発熱体を備えた定着ローラ１３１と、図１における前方でこの定着ローラ１３１と対向配置された加圧ローラ１３２とを備えている。そして、第２転写ローラ１１３を介して画像形成部１２から導出された転写処理済の用紙Ｐは、これら定着ローラ１３１および加圧ローラ１３２間に押圧挟持されつつ定着ローラ１３１により加熱される熱処理でトナー画像が定着され、用紙上に安定した状態のカラー画像が形成される。
【００４２】
定着処理の完了したカラー印刷済みの用紙Ｐは、定着部１３の上部から延設された排紙搬送路１１４を通って装置本体１１に設けられた胴内排紙トレイ１５１へ向けて排出されることになる。
【００４３】
前記用紙貯留部１４は、装置本体１１における露光装置１２４の下方位置に挿脱自在に装着された用紙トレイ１４１を有している。用紙トレイ１４１には用紙束が貯留される。そして、用紙トレイ１４１に貯留された用紙束からピックアップローラ１４２の駆動で用紙Ｐが１枚ずつ繰り出され、用紙搬送路１１１を通って画像形成部１２へ導入される。
【００４４】
以下、図２を基に必要に応じて図１を参照しながら光学系ユニット２０について説明する。図２は、光学系ユニット２０の一実施形態を示す一部切欠き斜視図である。なお、図２においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００４５】
図２に示すように、光学系ユニット２０は、箱形を呈した筐体３０と、この筐体３０に前後方向に向けて正逆移動可能に内装され、かつ、原稿面に光を照射してその反射光を得る読取ユニット５０と、この読取ユニット５０からの反射光を集光して画像データとして取り込むＣＣＤユニット４０とを備えている。
【００４６】
前記筐体３０は、画像読取部１６の外装カバー１６０に収納され得るように外観形状が設定されている。かかる筐体３０の上面中央部には、矩形状を呈した大きな開口が設けられ、この開口に原稿を載置するためのコンタクトガラス３１が嵌め込まれている。このコンタクトガラス３１は、光学系ユニット２０が外装カバー１６０内に装着された状態で当該外装カバー１６０の上面に設けられた開口に臨むように設置位置が設定されている。
【００４７】
前記読取ユニット５０は、外装カバー１６０の前端部から若干後方に寄った位置（ホームポジション）を起点として後方に向けて往動することによりコンタクトガラス３１上に載置された原稿の原稿面を走査し、走査が完了した後に復動してホームポジションに戻るように構成されている。かかる読取ユニット５０は、原稿面に向けて光を照射する光源ユニット６０と、この光源ユニット６０からの光の原稿面での反射光を光路に沿うように反射させてＣＣＤユニット４０へ導くミラーユニット７０と、このミラーユニット７０に装着された光源部材８０とを備えている。
【００４８】
前記光源ユニット６０は、前後方向に向けて正逆走行する左右方向に長尺の第１走査枠体６１（図１）と、この第１走査枠体６１に支持された、当該第１走査枠体６１の走行方向と直交する水平方向（すなわち左右方向）に向けて長尺の光源部材８０と、この光源部材８０から照射された光の原稿画面からの反射光を前方に向けて反射させる第１ミラー６２とを備えている。
【００４９】
前記光源部材８０は、所定のフレームに発光ダイオード（ＬＥＤ（ｌｉｇｈｔ  ｅｍｉｔｔｉｎｇ  ｄｉｏｄｅ））からなる単位ＬＥＤ（発光素子）８５の複数個が並設されることによって形成されている。かかる複数の単位ＬＥＤ８５が一斉に発光されることにより各単位ＬＥＤ８５から照射された光がコンタクトガラス３１を介して原稿Ｐ１の原稿面で反射される。この反射光は、第１ミラー６２で反射されて前方のミラーユニット７０へ向かう。
【００５０】
前記ミラーユニット７０は、光源ユニット６０の前方に設けられ、前後方向に向けて正逆走行する第２走査枠体７１（図１）と、この第２走査枠体７１に支持された第２ミラー７２および第３ミラー７３とを備えている。前記第２走査枠体７１は、図２に示すように、左右方向に長尺に形成され、上端位置が光源ユニット６０の上端位置と略同一レベルに設定されている。これに対し第２走査枠体７１の下端位置は、図１に示すように、前記ＣＣＤユニット４０との間の位置的な関係で（すなわち、第３ミラー７３をＣＣＤユニット４０と対向させる必要があることから）光源ユニット６０の下端位置より下方に突出されている。
【００５１】
前記第２ミラー７２は、前記第１ミラー６２が反射した光を下方に向けて反射するとともに、前記第３ミラー７３は、第２ミラー７２の下方で第２ミラー７２と対向配置され当該第２ミラー７２が反射した光を後方のＣＣＤユニット４０に向けて反射する。
【００５２】
そして、第３ミラー７３が反射した光は、ＣＣＤユニット４０に入射され、ここで光の信号が電気信号に変換された上で電気信号のアナログ量が画像情報としてのディジタル量に変換される。
【００５３】
前記光源ユニット６０とミラーユニット７０とは、図略の駆動モータや所定のプーリー間に張設された走行ワイヤ等を有する走査枠体駆動機構５１（図１）の駆動によって互いに連係しながら異なる移動速度で移動するようになっている。具体的には、光源ユニット６０は、ミラーユニット７０の２倍の速度で移動し、読取ユニット５０が図１に実線で示すホームポジションに位置している状態でも、図１に二点鎖線で示す任意の位置に移動した状態でも、第１ミラー６２から第２ミラー７２および第３ミラー７３を介してＣＣＤユニット４０へ到達する光路の距離は一定になり、これによって読取ユニット５０がいずれの位置に位置した状態でも原稿面からの反射光が同一条件でＣＣＤユニット４０へ入射される。
【００５４】
前記ＣＣＤユニット４０は、複数枚のレンズが組み合わされて形成したレンズユニット４１と、このレンズユニット４１の後方位置に対向配置されたイメージセンサとして機能するＣＣＤ（ｃｈａｒｇｅ  ｃｏｕｐｌｅｄ  ｄｅｖｉｃｅ）４２とを備えて構成されている。前記レンズユニット４１は、光源部材８０からの光の反射光を集光してＣＣＤ（撮像素子）４２に結像させるためのものであり、前記ＣＣＤ４２は、レンズユニット４１から入射された光の強弱をディジタル量としての電気信号に変換する。
【００５５】
そして、ＣＣＤ４２でディジタル量に変換された原稿Ｐ１の画像情報は、一旦所定の記憶装置に記憶された後、前記画像形成部１２の露光装置１２４へ向けて出力され、露光装置１２４は、このディジタル情報に基づき感光体ドラム１２１へ向けて原稿画像に対応した光を照射する。
【００５６】
図３は、光源部材８０の一実施形態を示す斜視図である。なお、図３におけるＸおよびＹによる方向表示は、図２の場合と同様（Ｘは左右方向（−Ｘ：左方、＋Ｘ：右方）、Ｙは前後方向（−Ｙ：前方、＋Ｙ：後方））である。
【００５７】
図３に示すように、光源部材８０は、前記第１走査枠体６１に固定される左右方向に長尺のベースプレート８１と、このベースプレート８１の上面にネジ止め等で固定されるミドルプレート８２と、このミドルプレート８２の上面にネジ止め等で固定される硬質の合成樹脂製の一対のアッパープレート（支持部材）８３と、各アッパープレート８３の上面に直列状態で着脱自在に装着される複数の基板８４と、各基板８４に直列状態で装着される複数の単位ＬＥＤ（ｌｉｇｈｔ  ｅｍｉｔｔｉｎｇ  ｄｉｏｄｅ）８５とを備えている。
【００５８】
光源部材８０が、このようにベースプレート８１と、ミドルプレート８２と、アッパープレート８３と、基板８４とで５層構造にされるのは、ベースプレート８１の仕様を変更せずに光源の種類（例えば蛍光灯やハロゲンランプ等）に応じて当該ベースプレート８１を対応させ、その汎用性を確保するためである。本発明では、光源として単位ＬＥＤ８５が採用されているため、当該単位ＬＥＤ８５をベースプレート８１に装着するべく、単位ＬＥＤ８５の装着に関して固有の部材であるミドルプレート８２、アッパープレート８３および基板８４が採用されている。
【００５９】
前記ベースプレート８１は、左右方向一対の脚部８１１と、これら一対の脚部８１１の上縁部間に架設された平板部８１２とを備えている。前記各脚部８１１が第１走査枠体６１の適所にネジ止めされることによりベースプレート８１が光源ユニット６０に装着される。かかるベースプレート８１は、左右長が第１走査枠体６１の左右長より僅かに短めに設定され、これによって前記コンタクトガラス３１の左右長に対応されている。
【００６０】
前記ミドルプレート８２は、左右長がベースプレート８１の平板部８１２の左右長より若干短めに設定されているとともに、前後幅寸法が平板部８１２のそれより若干短めに設定されている。かかるミドルプレート８２には、前後方向の中央部に左右方向へ延びるように穿設された長孔８２１が設けられている。ミドルプレート８２には、この長孔８２１を境として前側に前方基板装着部８２２が形成されているとともに、同後側に後方基板装着部８２３が形成されている。
【００６１】
図４および図５は、アッパープレート８３および基板８４を示す斜視図であり、図４は、基板８４がアッパープレート８３から分離された状態、図５は、基板８４がアッパープレート８３に装着された状態をそれぞれ示している。
【００６２】
また、図６は、図５のＶＩ−ＶＩ線断面図であり、図６（Ａ）は、アッパープレート８３の装着空間Ｖ内に基板８４が装着されていない状態、図６（Ｂ）は、アッパープレート８３の装着空間Ｖ内に基板８４が装着された状態をそれぞれ示している。
【００６３】
さらに、図７は、図５のＶＩＩ−ＶＩＩ線断面図であり、図７（Ａ）は、アッパープレート８３の装着空間Ｖ内に基板８４が装着されていない状態、図７（Ｂ）は、アッパープレート８３の装着空間Ｖ内に基板８４が装着された状態をそれぞれ示している。なお、図４〜図７におけるＸおよびＹによる方向表示は図３の場合と同様である。
【００６４】
なお、図４〜図７におけるＸおよびＹによる方向表示は、図３の場合と同様（Ｘは左右方向（−Ｘ：左方、＋Ｘ：右方）、Ｙは前後方向（−Ｙ：前方、＋Ｙ：後方））である。
【００６５】
まず、図４に示すように、アッパープレート８３は、左右方向に長尺の底板８３１と、この底板８３１の前後の縁部から当該底板８３１の全長に亘って立設された前後方向一対の側板８３２と、各側板８３２の上縁部から互いに対向する方向に向かってそれぞれ突設された前後方向に延びる一対の被せ条８３３とを備え、端面視でＣ字状を呈している。これら底板８３１、一対の側板８３２および一対の被せ条８３３により囲繞された空間によって基板８４を装着するための装着空間Ｖ（図４）が形成されている。
【００６６】
前記一対の側板８３２間の内寸法は、前記基板８４の前後幅寸法より僅かに大きめに設定されているとともに、前記底板８３１と前記被せ条８３３との間の内寸法は、基板８４の厚み寸法より若干大きめに設定されている。従って、基板８４をアッパープレート８３の端面から装着空間Ｖ内へ差し込んでいくことにより、基板８４は、前後の側面がそれぞれ対応した側板８３２の内面に摺接した、前後方向の位置決め状態でアッパープレート８３に装着される。
【００６７】
前記各被せ条８３３は、基板８４がアッパープレート８３の装着空間Ｖに装着された状態で、当該基板８４に設けられた単位ＬＥＤ８５の後述する端子８５１に被せるためのものである。かかる一対の被せ条８３３は、互いに対向した縁面間の距離が単位ＬＥＤ８５の前後方向の寸法より若干大きめになるように側板８３２からの突出量がそれぞれ設定されている。これにより基板８４がアッパープレート８３に装着された状態で、単位ＬＥＤ８５は、照射光を被せ条８３３に阻止されることなく原稿Ｐ１へ向けて照射することができる。
【００６８】
そして、各被せ条８３３の裏面側には、それぞれ長尺の電極８３４が設けられている。これらの電極８３４は、長さ寸法が被せ条８３３と略同一か若干短めに設定されている。かかる各電極８３４の端部には、端子８５１を案内するための傾斜案内縁面８３４ａが形成されている。
【００６９】
また、アッパープレート８３の底板８３１には、各被せ条８３３と対向した位置に左右方向に向けて直列状態で並設された板バネからなる複数個の付勢部材８３５が設けられている。これらの付勢部材８３５は、アッパープレート８３の装着空間Ｖ内に装着された基板８４を被せ条８３３へ向けて付勢するためのものである。
【００７０】
かかる付勢部材８３５は、細長い板バネの中央部を山形に膨出させることによって形成され、その両端部が底板８３１にビス止めその他で固定されている。
【００７１】
また、底板８３１の両端部には、前後方向の中央位置にビス通し孔８３６が穿設されている。そして、これらのビス通し孔８３６にビスＢを差し通し、前記ミドルプレート８２（図３）に螺設された図略のビス孔に螺着することにより、アッパープレート８３がミドルプレート８２固定される。因みに、ビスＢの頭部の上面は平らに形成され、当該ビスＢが前記ビス孔に螺着された状態で、当該ビスＢの上面と底板８３１の上面とが面一になるようにしている。
【００７２】
前記基板８４は、左右方向に長尺の直方体状を呈している。かかる基板８４は、本実施形態においては、長さ寸法がアッパープレート８３の長さ寸法の略１／３に設定されている。これによってアッパープレート８３には、３つの基板８４が装着可能になっている。また、基板８４の前後幅寸法は、アッパープレート８３の一対の側板８３２間の内寸法より僅かに短めに設定されている。さらに、基板８４の厚み寸法は、底板８３１と電極８３４との間の内寸法より若干薄めに設定されている。
【００７３】
このような基板８４の上面における前後方向の中央位置には、左右方向に向けて等ピッチで複数の単位ＬＥＤ８５が配設されているとともに、これらの単位ＬＥＤ８５の前後には、左右方向に向けて延びる長尺の端子８５１が設けられている。これら一対の端子８５１は、前記アッパープレート８３の各電極８３４と対応するように設置位置が設定されている。
【００７４】
従って、基板８４をアッパープレート８３の端面開口から装着空間Ｖ内に押し込んでいくことにより、当該基板８４は、弾性変形した付勢部材８３５からの付勢力を得ながら端子８５１が傾斜案内縁面８３４ａに案内されて電極８３４の下面と摺接しつつ装着空間Ｖ内に装着される。
【００７５】
そして、基板８４がアッパープレート８３の装着空間Ｖ内に装着された状態では、当該基板８４は、図６（Ｂ）および図７（Ｂ）に示すように、付勢部材８３５の付勢力で上方に向けて付勢され、これによって端子８５１が電極８３４に押圧当接した状態になっている。従って、図略の電源からの電力は、電極８３４および端子８５１を介して単位ＬＥＤ８５へ供給され、これによって各単位ＬＥＤ８５が点灯する。
【００７６】
以上詳述したように、本発明に係る画像読取装置としての光学系ユニット２０は、光源部材８０から照射される光の原稿Ｐ１での反射光をＣＣＤ４２へ入射することにより原稿Ｐ１の原稿画像を読み取るように構成されたものである。そして、光源部材８０を着脱可能に支持する支持部材としてのアッパープレート８３が設けられている。また、光源部材８０は、基板８４と、この基板８４に並設された複数の単位ＬＥＤ８５と、この単位ＬＥＤ８５へ電力を供給する端子８５１とを備えている。これに対しアッパープレート８３は、光源部材８０が装着された状態で端子８５１に接続される電極８３４を有し、光源部材８０がアッパープレート８３に対しスライド状態で装着されることにより端子８５１が電極８３４に接続されるように構成されている。
【００７７】
かかる構成によれば、光源部材８０をスライド状態でアッパープレート８３に装着することにより、光源部材８０の基板８４に設けられた端子８５１がアッパープレート８３に設けられた電極８３４に接続される。一方、例えば光源部材８０を取り換えるために新旧交換するに際しては、旧い光源部材８０をスライド状態でアッパープレート８３から引き抜くことにより当該光源部材８０は、アッパープレート８３から取り外される。
【００７８】
このように光源部材８０をスライド状態でアッパープレート８３に装着することにより、光源部材８０の端子８５１がアッパープレート８３の電極８３４に接続される一方、光源部材８０をスライド状態でアッパープレート８３から引き抜くことにより当該光源部材８０は、アッパープレート８３から取り外されるため、従来のように、光源部材８０がアッパープレート８３に対してネジ止め等で固定されている場合には、光源部材８０のアッパープレート８３に対する着脱作業に長時間を要するという不都合があったが、かかる不都合の発生を解消することができる。従って、例えば、単位ＬＥＤ８５の故障で光源部材８０を交換しなければならないような場合、当該交換を迅速に行うことが可能になり、これによって交換作業の作業性を大幅に向上させることができる。
【００７９】
また、基板８０のアッパープレート８３に対する着脱操作が容易なことから、複数の基板８０をアッパープレート８３に装着し得るようにしても、基板８０の交換作業の作業性が損なわれるようなことがない。従って、複数の基板８０をアッパープレート８３に支持させるようにし、これによって１つの基板８０に装着される単位ＬＥＤ８５の個数を少なくすることができるため、いずれかの単位ＬＥＤ８５が故障して基板８０を交換しなければならなくなったような場合、複数の基板８０の内の故障している単位ＬＥＤ８５を備えたもののみを交換すればよく、その分、正常な単位ＬＥＤ８５が無駄に交換されてしまうような不都合の発生を軽減させることができる。
【００８０】
そして、本実施形態においては、基板８４の表面側には複数の単位ＬＥＤ８５が直列に並設され、端子８５１は、それぞれ基板８４の表面側における単位ＬＥＤ８５の並設方向と直交する当該単位ＬＥＤ８５の近傍位置に設けられ、アッパープレート８３は、基板８４をスライドさせる底板８３１と、この底板８３１の両側縁から立設された基板８４の側縁が摺接する一対の側板８３２と、これら一対の側板８３２の各上縁部から互いに対向する方向に延設されて端子８５１に被さる被せ条８３３とを備えて端面視でＣ字状に形成され、被せ条８３３には、端子８５１と対向する位置に電極８３４が設けられている。
【００８１】
かかる構成によれば、光源部材８０の基板８４を端面視でＣ字状を呈したアッパープレート８３の端部のから底板８３１上でスライドさせつつアッパープレート８３内に押し込んでいくことにより、当該光源部材８０は、両側縁がアッパープレート８３の各側板８３２に摺接しながら幅方向が位置決め状態でアッパープレート８３内に挿入されていき、最終的にアッパープレート８３に装着された状態になる。
【００８２】
そして、光源部材８０がアッパープレート８３に装着された状態では、基板８４の表面側に設けられた端子８５１がアッパープレート８３の被せ条８３３の対向面に設けられた電極８３４と当接し、これにより単位ＬＥＤ８５は、電極８３４および端子８５１を介して電力が供給可能になる。
【００８３】
このように、アッパープレート８３の被せ条８３３に光源部材８０の端子８５１と対向する電極８３４を設けることにより、光源部材８０のアッパープレート８３に対する着脱操作の良好な操作性を確保した上で、電気的な接続構造を簡単なものにすることができる。
【００８４】
さらに、光源部材８０は、複数個が直列にアッパープレート８３に支持されるようになされているため、いずれかの単位ＬＥＤ８５が故障して光源部材８０を交換しなければならなくなった場合、複数の光源部材８０の内の故障している単位ＬＥＤ８５を備えたもののみを交換すればよく、その分、正常な単位ＬＥＤ８５が無駄に交換されてしまうような不都合の発生をなくすことができる。
【００８５】
加えて、本実施形態においては、底板８３１にアッパープレート８３に装着された基板８４を被せ条８３３へ向けて付勢する付勢部材８３５が設けられているため、基板８４がアッパープレート８３に装着された状態で、当該基板８４は、付勢部材８３５によりアッパープレート８３の被せ条８３３に向けて付勢され、これにより基板８４の端子８５１の被せ条８３３に設けられている電極８３４への当接状態、すなわち電気的な接続状態をより確実なものにすることができる。
【００８６】
本発明は上記の実施形態に限定されるものではなく、以下の内容をも包含するものである。
【００８７】
（１）図８は、光源部材８０のアッパープレート８３′の他の実施形態を示す断面視の説明図であり、図８（Ａ）は、装着空間Ｖ内に基板８４が装着されていない状態、図８（Ｂ）は、装着空間Ｖ内に基板８４を挿入するべく可動側板８３２′が肺胞姿勢に姿勢設定された状態、図８（Ｃ）は、装着空間Ｖ内に基板８４が装着された状態をそれぞれ示している。なお、図８におけるＹによる方向表示は、図６の場合と同様（−Ｙ：前方、＋Ｙ：後方）である。
【００８８】
まず、図８（Ａ）に示すように、この実施形態のアッパープレート８３′においては、一方（図８に示す例では前方）の側板８３２が可動側板８３２′とされている。この可動側板８３２′は、底板８３１との接続位置に設定された底板８３１の長尺方向に延びる回動中心線（後述の蝶番軸８３８の軸心）回りに正逆回動可能とされている。
【００８９】
具体的には、可動側板８３２′の下端部と底板８３１の前端部とが互いに嵌め合わされることにより形成された蝶番部８３７が形成され、可動側板８３２′は、この蝶番部８３７に左右方向に延びるように貫設された蝶番軸８３８回りに回動可能に底板８３１に連結されている。
【００９０】
そして、かかる可動側板８３２′は、装着空間Ｖを側部から開放する開放姿勢（図８（Ｂ））と、装着空間Ｖを閉止する閉止姿勢（図８（Ｃ））との間で姿勢変更可能とされている。
【００９１】
かかる構成のアッパープレート８３′によれば、アッパープレート８３の一方の側板８３２を底板８３１の側縁に設定された蝶番部８３７の蝶番軸８３８回りに正逆回動させることにより、装着空間を開放した開放姿勢と、当該装着空間を閉止した閉止姿勢との間で姿勢変更可能とされているため、基板８４のアッパープレート８３に対する着脱操作時に側板８３２を開放姿勢に設定することにより、開放された開口から基板８４を装着空間に対し容易に出し入れすることができ、基板８４のアッパープレート８３に対する着脱操作の容易性をさらに向上させることができる。
【００９２】
（２）上記の実施形態においては、光学系ユニット２０が適用される画像形成装置１０として複写機が採用されているが、光学系ユニット２０を複写機に代えてファクシミリ装置に適用してもよい。
【００９３】
（３）上記の実施形態においては、アッパープレート８３に３つの基板８４装着されているが、本発明は、アッパープレート８３に装着される基板８４が３つであることに限定されるものではなく、２つ以下でもよいし、４つ以上であってもよい。
【００９４】
（４）上記の実施形態においては、単位ＬＥＤ８５が２列で光源部材８０に設けられているが、２列であることに限定されるものではなく、１列であってもよいし、３列以上であってもよい。
【図面の簡単な説明】
【００９５】
【図１】本発明に係る画像読取装置が適用された画像形成装置の一実施形態の概要を示す説明図である。
【図２】画像読取装置としての光学系ユニットの一実施形態を示す一部切欠き斜視図である。
【図３】光源部材の一実施形態を示す斜視図である。
【図４】アッパープレートおよび基板を示す斜視図であり、基板がアッパープレートから分離された状態を示している。
【図５】アッパープレートおよび基板を示す斜視図であり、基板がアッパープレートに装着された状態を示している。
【図６】図５のＶＩ−ＶＩ線断面図であり、（Ａ）は、アッパープレートの装着空間内に基板が装着されていない状態、（Ｂ）は、アッパープレートの装着空間内に基板が装着された状態をそれぞれ示している。
【図７】図５のＶＩＩ−ＶＩＩ線断面図であり、（Ａ）は、アッパープレートの装着空間内に基板８４が装着されていない状態、（Ｂ）は、アッパープレートの装着空間内に基板が装着された状態をそれぞれ示している。
【図８】光源部材のアッパープレートの他の実施形態を示す断面視の説明図であり、（Ａ）は、装着空間内に基板が装着されていない状態、（Ｂ）は、装着空間内に基板を挿入するべく可動側板８３２が肺胞姿勢に姿勢設定された状態、（Ｃ）は、装着空間内に基板が装着された状態をそれぞれ示している。
【符号の説明】
【００９６】
１０  画像形成装置          １１  装置本体
１１１  用紙搬送路          １１２  搬送ローラ対
１１３  転写ローラ          １１４  排紙搬送路
１２  画像形成部            １２Ｃ  シアン用ユニット
１２Ｋ  ブラック用ユニット  １２Ｍ  マゼンタ用ユニット
１２Ｙ  イエロー用ユニット  １２１  感光体ドラム
１２２  現像装置            １２３  帯電器
１２４  露光装置            １２５  転写ベルト
１２５ａ  駆動ローラ        １２５ｂ  従動ローラ
１２５ｃ  転写ローラ        １２６  クリーニング装置
１３  定着部                １３１  定着ローラ
１３２  加圧ローラ          １４  用紙貯留部
１４１  用紙トレイ          １４２  ピックアップローラ
１５  排紙部                １５１  胴内排紙トレイ
１６  画像読取部            １６０  外装カバー
１６１  原稿押さえ部材      １６２  蝶板部材
１６３  開閉センサ          １７  操作パネル
１７１  電源スイッチ        １７２  スタートキー
１７３  キャンセルキー      １７４  省エネモード選択キー
１７５  テンキー            １８  ＬＣＤ
２０  光学系ユニット（画像読取装置）
３０  筐体                  ３１  コンタクトガラス
４１  レンズユニット        ４２  ＣＣＤ（撮像素子）
５０  読取ユニット          ５１  走査枠体駆動機構
６０  光源ユニット          ６１  第１走査枠体
６２  第１ミラー            ７０  ミラーユニット
７１  第２走査枠体          ７２  第２ミラー
７３  第３ミラー            ８０  光源部材
８１  ベースプレート        ８１１  脚部
８１２  平板部              ８２  ミドルプレート
８２１  長孔                ８２２  前方基板装着部
８２３  後方基板装着部      ８３，８３′  アッパープレート（支持部材）
８３１  底板                ８３２  側板
８３２′  可動側板          ８３３  被せ条
８３４  電極                ８３４ａ  傾斜案内縁面
８３５  付勢部材            ８３６  ビス通し孔
８３７  蝶番部              ８３８  蝶番軸
８４  基板                  ８５  ＬＥＤ（発光素子）
８５１  端子                Ｂ  ビス
Ｐ  用紙                    Ｐ１  原稿
Ｔ１  閉止姿勢              Ｔ２  開放姿勢
Ｖ  装着空間
【図１】
2008187263.tif 000003
【図２】
2008187263.tif 000004
【図３】
2008187263.tif 000005
【図４】
2008187263.tif 000006
【図５】
2008187263.tif 000007
【図６】
2008187263.tif 000008
【図７】
2008187263.tif 000009
【図８】
2008187263.tif 000010